(57)【要約】本発明が提供するデータ伝送方法は、無線通信システムで少なくとも一つのアクセスターミナル（ＡＴ）により行なわれるデータ伝送方法に関するもので、その一実施形態では、アクセスノード（ＡＮ）がスーパーフレームプリアンブルを伝送するのに使用する持続期間（ｄｕｒａｔｉｏｎ）に対応する持続期間の間に、少なくとも一つのアクセスターミナル（ＡＴ）による伝送を全て中断する段階を含み、このスーパーフレームは複数の物理フレームを含む構成とする。
2009543428.tif 000002
【特許請求の範囲】
【請求項１】
無線通信システムで少なくとも一つのアクセスターミナル（ＡＴ）により行なわれるデータ伝送方法であって、
アクセスノード（ＡＮ）がスーパーフレームプリアンブルを伝送するのに使用する持続期間（ｄｕｒａｔｉｏｎ）に対応する持続期間の間に、前記少なくとも一つのアクセスターミナル（ＡＴ）による伝送を全て中断（ｃｅａｓｉｎｇ）する段階を含み、前記スーパーフレームは、複数の物理フレームを含む、データ伝送方法。
【請求項２】
前記複数の物理フレームはそれぞれ、複数の直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ；ＯＦＤＭ）シンボルを含むことを特徴とする、請求項１に記載のデータ伝送方法。
【請求項３】
前記伝送は周期的に中断されることを特徴とする、請求項１に記載のデータ伝送方法。
【請求項４】
前記伝送の周期的中断は、システムパラメータにより知らされることを特徴とする、請求項３に記載のデータ伝送方法。
【請求項５】
前記アクセスノード（ＡＮ）がスーパーフレームプリアンブルを伝送するのに使用する持続期間（ｄｕｒａｔｉｏｎ）に対応する持続期間の間に、前記ＡＴから要請メッセージ（ｒｅｑｕｅｓｔ  ｍｅｓｓａｇｅ）が伝送される段階をさらに含むことを特徴とする、請求項１に記載のデータ伝送方法。
【請求項６】
前記アクセスノード（ＡＮ）がスーパーフレームプリアンブルを伝送するのに使用する持続期間（ｄｕｒａｔｉｏｎ）に対応する持続期間の間に、前記ＡＴからチャネル品質フィードバックが伝送される段階をさらに含むことを特徴とする、請求項１に記載のデータ伝送方法。
【請求項７】
前記アクセスノード（ＡＮ）がスーパーフレームプリアンブルを伝送するのに使用する持続期間（ｄｕｒａｔｉｏｎ）に対応する持続期間の間に、前記ＡＴから多重入力多重出力（ｍｕｌｔｉ  ｉｎｐｕｔ、ｍｕｌｔｉ  ｏｕｔｐｕｔ；ＭＩＭＯ）チャネル品質フィードバックが伝送される段階をさらに含むことを特徴とする、請求項１に記載のデータ伝送方法。
【請求項８】
前記アクセスノード（ＡＮ）がスーパーフレームプリアンブルを伝送するのに使用する持続期間（ｄｕｒａｔｉｏｎ）に対応する持続期間の間に、前記ＡＴからビームフォーミングチャネル品質フィードバックが伝送される段階をさらに含むことを特徴とする、請求項１に記載のデータ伝送方法。
【請求項９】
前記アクセスノード（ＡＮ）がスーパーフレームプリアンブルを伝送するのに使用する持続期間（ｄｕｒａｔｉｏｎ）に対応する持続期間の間に、前記ＡＴからサブバンドチャネルフィードバックが伝送される段階をさらに含むことを特徴とする、請求項１に記載のデータ伝送方法。
【請求項１０】
前記伝送は、ＡＮからの命令（ｃｏｍｍａｎｄ）によって周期的に中断されることを特徴とする、請求項１に記載のデータ伝送方法。
【請求項１１】
伝送が中断されない持続期間の間に、逆方向リンク応答チャネル（ｒｅｖｅｒｓｅ  ｌｉｎｋ  ａｃｋｎｏｗｌｅｄｇｅｍｅｎｔ  ｃｈａｎｎｅｌ；Ｒ−ＡＣＫＣＨ）、逆方向リンクデータチャネル（ｒｅｖｅｒｓｅ  ｌｉｎｋ  ｄａｔａ  ｃｈａｎｎｅｌ；Ｒ−ＤＣＨ）または逆方向リンクコード分割多重接続（ｃｏｄｅ  ｄｉｖｉｓｉｏｎ  ｍｕｌｔｉｐｌｅ  ａｃｃｅｓｓ；ＣＤＭＡ）制御セグメントのいずれかを伝送する段階をさらに含むことを特徴とする、請求項１に記載のデータ伝送方法。
【請求項１２】
無線通信システムでアクセスノード（ＡＮ）が負荷制御（ｌｏａｄ  ｃｏｎｔｒｏｌ）のためにデータを測定する方法であって、
ＡＮがスーパーフレームプリアンブルを伝送するのに使用する持続期間（ｄｕｒａｔｉｏｎ）に対応し、前記少なくとも一つのアクセスターミナル（ＡＴ）からの伝送が全て中断（ｃｅａｓｉｎｇ）される持続期間の間に、雑音分散（ｖａｒｉａｎｃｅ）を測定する段階を含み、前記スーパーフレームは複数の物理フレームを含む、データ測定方法。
【請求項１３】
前記伝送は周期的に中断されることを特徴とする、請求項１２に記載のデータ測定方法。
【請求項１４】
伝送を周期的に中断するとの命令を少なくとも一つのＡＴに伝送する段階をさらに含むことを特徴とする、請求項１２に記載のデータ測定方法。
【請求項１５】
前記複数の物理フレームはそれぞれ、複数の直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ；ＯＦＤＭ）シンボルを含むことを特徴とする、請求項１２に記載のデータ測定方法。
【請求項１６】
ＡＮがスーパーフレームプリアンブルを伝送するのに使用する持続期間に対応する持続期間の間に、前記ＡＴから要請メッセージ（ｒｅｑｕｅｓｔ  ｍｅｓｓａｇｅ）を受信する段階をさらに含むことを特徴とする、請求項１２に記載のデータ測定方法。
【請求項１７】
ＡＮがスーパーフレームプリアンブルを伝送するのに使用する持続期間に対応する持続期間の間に、前記ＡＴから多重入力多重出力（ｍｕｌｔｉ  ｉｎｐｕｔ、ｍｕｌｔｉ  ｏｕｔｐｕｔ；ＭＩＭＯ）チャネル品質フィードバックを受信する段階をさらに含むことを特徴とする、請求項１２に記載のデータ測定方法。
【請求項１８】
ＡＮがスーパーフレームプリアンブルを伝送するのに使用する持続期間に対応する持続期間の間に、前記ＡＴからビームフォーミングチャネル品質フィードバックを受信する段階をさらに含むことを特徴とする、請求項１２に記載のデータ測定方法。
【請求項１９】
ＡＮがスーパーフレームプリアンブルを伝送するのに使用する持続期間に対応する持続期間の間に、前記ＡＴからサブバンドチャネルフィードバックを受信する段階をさらに含むことを特徴とする、請求項１２に記載のデータ測定方法。
【請求項２０】
複数の順方向リンク（ｆｏｒｗａｒｄ  ｌｉｎｋ；ＦＬ）物理フレーム及びプリアンブルに対応する複数の逆方向リンク（ｒｅｖｅｒｓｅ  ｌｉｎｋ；ＲＬ）物理フレームを含み、前記ＦＬプリアンブルに対応するＲＬ物理フレームの第１部分は、データが欠けており、他のＦＬ物理フレームに対応するＲＬ物理フレームの第２部分は、データが割り当てられているスーパーフレーム構造。
【発明の詳細な説明】
【技術分野】
【０００１】
本発明は、資源を用いる方法に関するもので、より具体的には、逆方向リンク伝送で資源を効率的に用いる方法に関する。
【背景技術】
【０００２】
セルラーと情報通信業界で当業者は普通、１Ｇ、２Ｇ及び３Ｇという用語を使用する。これらの用語は、用いられたセルラー技術の世代を指す。１Ｇは１世代、２Ｇは２世代、３Ｇは３世帯を指す。
【０００３】
１Ｇは、ＡＭＰＳ（Ａｄｖａｎｃｅｄ  Ｍｏｂｉｌｅ  Ｐｈｏｎｅ  Ｓｅｒｖｉｃｅ）電話システムと知られたアナログ電話システムのことを指す。２Ｇは、一般的に全世界で広く用いられているデジタルセルラーシステムのことを指し、ＣＤＭＡ  Ｏｎｅ、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、及びＴＤＭＡ（Ｔｉｍｅ  Ｄｉｖｉｓｉｏｎ  Ｍｕｌｔｉｐｌｅ  Ａｃｃｅｓｓ）を含む。２Ｇシステムは、密集地域で１Ｇシステムに比べてより多くの使用者を支援することができる。
【０００４】
３Ｇは、一般的に現在使用されているデジタルセルラーシステムのことを指す。それら３Ｇ通信システムは、いくつかのの重要な差異点を除いて概念的には互いに似ている。
【０００５】
現代の無線通信システムにおいて使用者（または端末）は、途切れないサービスを享有しながら自由にローミングできる。このように、現在無線通信システムでは、無線通信技術において使用者の生活方式を向上させることが重要である。このため、無線システムと関連したあらゆる条件及び環境下で通信システムのサービス効率及び効果を改善するためにより良い方式と技術が考案されることができる。様々な条件及び環境で通信システムサービスを改善するために、順方向リンク及び逆方向リンクで無線資源をより效率的に使用することを含む様々な方法が、効果的で効率的な伝送を促進するのに用いられることができる。
【発明の概要】
【発明が解決しようとする課題】
【０００６】
本発明は、従来技術における限界及び短所による一つ以上の問題を実質的に解消できる、逆方向リンク伝送で資源を効率的に使用する方法に関する。
【０００７】
本発明の目的は、無線通信システムにおいて少なくとも一つのアクセスターミナル（ＡＴ）によるデータ伝送方法を提供することにある。
【０００８】
本発明の他の目的は、無線通信システムで少なくとも一つのアクセスノード（ＡＮ）が負荷制御（ｌｏａｄ  ｃｏｎｔｒｏｌ）のためにデータを測定する方法を提供することにある。
【０００９】
本発明のさらに他の目的は、スーパーフレーム構造を提供することにある。
【００１０】
本発明で達成しようとする技術的課題は、以上で言及した技術的課題に制限されず、言及されていない他の技術的課題は、下記の記載から本発明の属する技術分野における通常の知識を持つ者には明確に理解される。
【課題を解決するための手段】
【００１１】
本発明の一様相として、無線通信システムで少なくとも一つのアクセスターミナル（ＡＴ）により行なわれるデータ伝送方法において、アクセスノード（ＡＮ）がスーパーフレームプリアンブルを伝送するのに使用する持続期間（ｄｕｒａｔｉｏｎ）に対応する持続期間の間に、当該少なくとも一つのアクセスターミナル（ＡＴ）による伝送をいずれも中断（ｃｅａｓｉｎｇ）する段階を含み、このスーパーフレームは複数の物理フレームを含む、データ伝送方法が提供される。
【００１２】
本発明の他の様相として、無線通信システムでアクセスノード（ＡＮ）が負荷制御（ｌｏａｄ  ｃｏｎｔｒｏｌ）のためにデータを測定する方法において、ＡＮが、スーパーフレームプリアンブルを伝送するのに使用する持続期間（ｄｕｒａｔｉｏｎ）に対応し、少なくとも一つのアクセスターミナル（ＡＴ）からの伝送がいずれも中断（ｃｅａｓｉｎｇ）される持続期間の間に、雑音分散（ｎｏｉｓｅ  ｖａｒｉａｎｃｅ）を測定する段階を含み、このスーパーフレームは複数の物理フレームを含むデータ測定方法が提供される。
【００１３】
本発明のさらに他の様相として、複数の順方向リンク（ｆｏｒｗａｒｄ  ｌｉｎｋ；ＦＬ）物理フレーム及びプリアンブルに対応する複数の逆方向リンク（ｒｅｖｅｒｓｅ  ｌｉｎｋ；ＲＬ）物理フレームを含み、このＦＬプリアンブルに対応するＲＬ物理フレームの第１部分は、データが欠けており、他のＦＬ物理フレームに対応するＲＬ物理フレームの第２部分は、データが割り当てられているスーパーフレーム構造が提供される。
【００１４】
上述した一般的な内容及び後述する本発明の詳細な説明はいずれも例示的なもので、請求された発明についての説明をさらに提供するためのものである。
【図面の簡単な説明】
【００１５】
【図１】第１物理フレームが反復されたり延長されたスーパーフレーム構造の一例を示す図である。
【図２】第１物理フレームが反復されたり延長されたスーパーフレーム構造の他の例を示す図である。
【図３】スーパーフレームにおけるＲＬ資源の一使用例を示す図である。
【図４】スーパーフレームにおけるＲＬ資源の他の使用例を示す図である。
【発明を実施するための形態】
【００１６】
以下、添付の図面を参照しつつ、本発明の好適な実施例について詳細に説明する。図面中、同一の構成要素には可能な限り同一の参照番号を付する。
【００１７】
一般に、アクセスターミナル（Ａｃｃｅｓｓ  Ｔｅｒｍｉｎａｌ；ＡＴ）は、データを伝送する前にアクセスネットワーク（Ａｃｃｅｓｓ  Ｎｅｔｗｏｒｋ；ＡＮ）からパーミッション（ｐｅｒｍｉｓｓｉｏｎ）を受信する。この動作は、スケジューリングと呼ばれることができる。伝送スケジューリングのためにまたはＡＮからパーミッションを受信するために、ＡＴは、パーミッションに対する要請と共にバッファ内のデータ量、電力ヘッドルームなどのような情報を伝送することができる。この要請はいつでもＡＮに転送されることができる。すなわち、ＡＴは、必要時に及び／またはあらかじめ定められた時間に当該要請を伝送することができる。スケジューリングが完了した後、ＡＴはデータを当該ＡＮに伝送する。
【００１８】
無線通信システムにおけるデータ伝送と関連して、伝送ユニットは、特定数の物理フレーム及びプリアンブルで定義されることができる。このような伝送ユニットは、スーパーフレームと呼ばれることができる。この伝送ユニットは、順方向リンク（Ｆｏｒｗａｒｄ  Ｌｉｎｋ；ＦＬ）及び逆方向リンク（Ｒｅｖｅｒｓｅ  Ｌｉｎｋ；ＲＬ）伝送の両方に適用されることができる。スーパーフレームプリアンブルは主にＦＬ伝送のためのものであるが、ＲＬ伝送で除外されるものではない。
【００１９】
上記伝送ユニットまたはスーパーフレームは、２４または２５物理フレーム及びプリアンブルを含む。それぞれの物理フレームは複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含む。例えば、物理フレームは８シンボルを含む（例：８×１１３．９３□（６．５１□ＣＰ）＝９１１．４４□）。それぞれのＯＦＤＭシンボル持続期間（ｄｕｒａｔｉｏｎ）は、６．５１□循環前置（ｃｙｃｌｉｃ  ｐｒｅｆｉｘ）を含み、１１３．９３□となる。また、このプリアンブルは、８ＯＦＤＭシンボルを含む。
【００２０】
上記スーパーフレームは、ＦＬにおいて主として同期（ｓｙｎｃｈｒｏｎｉｚａｔｉｏｎ）を提供するために一般的にプリアンブルから始まる。また、このスーパーフレームは、ネットワーク特定（ｎｅｔｗｏｒｋ−ｓｐｅｃｉｆｉｃ）及びセクター特定（ｓｅｃｔｏｒ−ｓｐｅｃｉｆｉｃ）情報を伝達するのに用いられる。これは、ＲＬ伝送がＦＬ伝送と同期するようにＡＴがレファレンスタイミングの開始を知る必要があるためである。すなわち、ＲＬ伝送は、効率的な伝送のためにＦＬ伝送と整列（ａｌｌｉｇｎｅｄ）されることができる（例えば、同一なスーパーフレーム持続期間）。
【００２１】
一般的に、スーパーフレームプリアンブルは、パケット制御情報、パケットデータ、及びページングチャネルを伝達でき、これらは、当該スーパーフレームプリアンブルで周期的に伝送されることができる。より具体的に、プリアンブルは放送チャネルを伝達する。最初の５ＯＦＤＭシンボルは、偶数スーパーフレームで高速パケット放送制御チャネル（ｆａｓｔ  ｐａｃｋｅｔ  ｂｒｏａｄｃａｓｔ  ｃｏｎｔｒｏｌ  ｃｈａｎｎｅｌ；Ｆ−ＰＢＣＣＨ）及び高速副放送制御チャネル（ｆａｓｔ  ｓｅｃｏｎｄａｒｙ  ｂｒｏａｄｃａｓｔ  ｃｏｎｔｒｏｌ  ｃｈａｎｎｅｌ；Ｆ−ＳＢＣＣＨ）を伝達することができ、奇数スーパーフレームでＦ−ＰＢＣＣＨ及び高速クイックページングチャネル（ｆａｓｔ  ｑｕｉｃｋ  ｐａｇｉｎｇ  ｃｈａｎｎｅｌ；Ｆ−ＱＰＣＨ）を伝達できる。
【００２２】
また、プリアンブルは時間及び周波数によって識別されることができ、セクター特定シーケンス（ｓｅｃｔｏｒ−ｓｐｅｃｉｆｉｃ  ｓｅｑｕｅｎｃｅ）によって識別されることができる。すなわち、プリアンブルは、時分割多重化（ｔｉｍｅ  ｄｉｖｉｓｉｏｎ  ｍｕｌｔｉｐｌｅｘｉｎｇ；ＴＤＭ）パイロット、コード分割多重化（ｃｏｄｅ  ｄｉｖｉｓｉｏｎ  ｍｕｌｔｉｐｌｅｘｉｎｇ；ＣＤＭ）、及び／またはセクター特定（ｓｅｃｔｏｒ−ｓｐｅｃｉｆｉｃ）シーケンスを含むことができる。
【００２３】
例えば、プリアンブルは、ＴＤＭパイロットを含むことができる（例えば、ＴＤＭ１、ＴＤＭ２及びＴＤＭ３）。ＴＤＭ１は、セクター特定情報及び／または時間／周波数同期のためのＧＣＬ（ｇｅｎｅｒａｌｉｚｅｄ  ｃｈｉｒｐ−ｌｉｋｅ）シーケンスを伝達する。ＴＤＭ２及びＴＤＭ３は、セクター特定シーケンスである（例えは、ウォルシュシーケンス）。また、ＯＳＩＣＨ（ｏｔｈｅｒ  ｓｅｃｔｏｒ  ｉｎｔｅｒｆｅｒｅｎｃｅ  ｃｈａｎｎｅｌ）がＴＤＭ２及びＴＤＭ３間の差動位相（ｄｉｆｆｅｒｅｎｔｉａｌ  ｐｈａｓｅ）として伝送されることができる（例えば、０、２π／３、−２π／３）。
【００２４】
一般的に、スーパーフレームの物理フレームはとりわけ、データ、制御情報及び専用パイロットを含む。この物理フレームには度々プリアンブルが先行する。このプリアンブルは、（時間及び周波数）同期を支援し、ＦＬでシステムパラメータ、オーバーヘッドメッセージなどを伝送するように設計される。最後に、ＦＬ及びＲＬのためのスーパーフレームの持続期間は同一である。
【００２５】
ＦＬ伝送は、ＡＮからアクセスターミナル（ＡＴ）へ行なわれる伝送である。逆に、ＲＬ伝送は、ＡＴからＡＮへ行なわれる伝送である。一般的に、ＲＬ伝送は、多重ソース（ｓｏｕｒｃｅ）（例、ＡＴｓ）から単一あて先（例、ＡＮ）へ行なわれる伝送を含む。
【００２６】
多重ソースから単一あて先への伝送を含むＲＬ伝送の特性の上、物理フレームの伝送は、プリアンブルが先行しない。さらに、ＦＬ及びＲＬで同一持続期間を持つスーパーフレームにより、伝送はより非効率的となる。
【００２７】
このようなプリアンブルの不在及び持続期間の問題を解決するために、スーパーフレームを変形することができる。より具体的に、ＦＬ及びＲＬでスーパーフレームの同一持続期間を維持するために、第１物理フレームは反復されたり、または、第１物理フレームは延長（ｅｌｏｎｇａｔｅｄ）されることができる。図１は、ＲＬで第１物理フレームが反復されたり延長された場合におけるスーパーフレームの構造を例示する図である。
【００２８】
図１を参照すると、ＲＬ伝送と関連してＡＴの第１物理フレームは反復される（または、延長される）。ＡＮの第１物理フレームと比較すると、ＡＴの第１物理フレームがＡＮの第１物理フレームよりも長い（例えば、２倍）。すなわち、ＦＬ及びＲＬ伝送が同期するように、第１ＲＬ物理フレームは延長され、ＦＬのプリアンブル及び第１物理フレームと合わせられる。
【００２９】
図２は、第１物理フレームが反復されたり延長された場合におけるスーパーフレーム構造の他の例を示す図である。図２に関する説明は、図１と略同様である。
【００３０】
反復されたり延長された第１物理フレームと関連して図１及び図２の説明を参照すると、資源（例えば、周波数バンド幅及び時間）は非効率的に用いられると見なされることができる。このように、物理フレームは、互いに異なって保護されると見なされることができる。
【００３１】
したがって、ＲＬで第１物理フレームを反復したり延長する代わりに、第１ＲＬフレームの持続期間をＦＬプリアンブルの持続期間に対応するように変形することができる。以下では、このようなＲＬフレームが‘ＲＬ部分（ｐｏｒｔｉｏｎ）’と呼ばれる。
【００３２】
ＡＮへの伝送で、ＲＬ部分（または剰余部分（ｒｅｄｕｎｄａｎｃｙ  ｐａｒｔ））は、ＡＴｓからのＲＬ伝送のための要請（ｒｅｑｕｅｓｔ）、ＡＴｓからのチャネル品質フィードバックに関する絶対値を含むフィードバック情報及び／またはＡＮが雑音分散を測定するのを助けるための周期的な沈黙瞬間（ｓｉｌｅｎｔ  ｍｏｍｅｎｔ）または沈黙期間（ｓｉｌｅｎｔ  ｐｅｒｉｏｄ）（例えば、ナル）を含むことができる。上述したように、上記要請は、スケジューリング及びＡＮからのパーミッション受信を意味することができる。また、チャネル品質フィードバックは、多重入力多重出力（ｍｕｌｔｉ−ｉｎｐｕｔ、ｍｕｌｔｉ−ｏｕｔｐｕｔ；ＭＩＭＯ）チャネル、ビームフォーミング、及び／またはサブバンドと関連することができる。
【００３３】
測定した雑音分散は、ＩｏＴ（ｉｎｔｅｒｆｅｒｅｎｃｅ−ｏｖｅｒ−ｔｈｅｒｍａｌ）またはＲｏＴ（ｒｉｓｅ−ｏｖｅｒ−ｔｈｅｒｍａｌ）を通じて逆方向リンク負荷を制御するのに用いられることができる。また、上記要請及びフィードバック情報（例えば、絶対チャネル品質フィードバック伝送）は、物理フレームでのデータ伝送と資源を共有する。要請再割当（ｒｅｑｕｅｓｔ  ｒｅａｌｌｏｃａｔｉｏｎ）及び絶対チャネル品質フィードバック伝送方法を用いることによって、データ伝送に対する可用資源が増加することができる。
【００３４】
図３は、スーパーフレームにおけるＲＬ資源の一使用例を示す図である。図３で、スーパーフレームのＲＬ部分（ＦＬスーパーフレームのプリアンブル部分に対応）は、要請、フィードバック情報（例えば、チャネル品質情報（ｃｈａｎｎｅｌ  ｑｕａｌｉｔｙ  ｉｎｆｏｒｍａｔｉｏｎ；ＣＱＩ））、及び沈黙瞬間／期間を含むことができる。図示の如く、ＲＬ部分の持続期間は、ＦＬのプリアンブル部分の持続期間に対応し、ＦＬのプリアンブル部分の持続期間は、一つのＦＬ物理フレームの持続期間と同一であり得る。
【００３５】
第１フレーム（例えば、ＲＬ部分）が延長されたが、このＦＬのスーパーフレームプリアンブルに対応しない場合である図１及び２とは異なり、図３に示すＲＬ部分は、プリアンブルの持続期間に対応するように設定される。その結果、資源がより効率的に使われることができる。
【００３６】
他の例として、ＦＬスーパーフレームプリアンブルの持続期間に対応するＲＬ部分は、物理フレームの持続期間と残りの持続期間とに分けられることができる。すなわち、、このプリアンブル持続期間は、物理フレームの持続期間と残りの持続期間との和と同一になる。このＲＬ部分の持続期間は、物理フレームの持続期間によって変更されることができる。
【００３７】
上述したように、残りの持続期間は、ＡＴ(ｓ)からの要請、ＡＴｓからのチャネル品質フィードバックに関する絶対値を含むフィードバック情報、及び／またはＡＮが雑音分散を測定するのを助ける周期的な沈黙瞬間／期間を伝送するのに使われることができる。
【００３８】
他の例として、プリアンブル持続期間は、物理フレームの持続期間と同一であっても良い。ここで、プリアンブル持続期間と物理フレームの持続期間が同一なので、残りの持続期間は不要である。
【００３９】
図４は、スーパーフレームにおけるＲＬ資源の他の使用例を示す図である。図４で、ＲＬ部分は、ＡＴ(ｓ)からの要請、フィードバック情報、及び／または沈黙瞬間／期間を伝送するのに用いられることができる。ＲＬで伝送するデータ量によって、ＡＴの持続期間が変更されることができる。すなわち、このＲＬ（または、ＲＬ部分）の持続期間は、ＦＬのスーパーフレームプリアンブルの持続期間よりも短くなることができる。同図の如く、ＲＬ部分の持続期間は、スーパーフレームプリアンブル持続期間の半分とすることができる。さらに、このＲＬ部分は、対応するＦＬのスーパーフレームプリアンブルに対して相対的に前半部または後半部に位置することができる。同図では、ＲＬ部分がプリアンブルに対して後半部に位置しているが、前半部に位置しても良い。
【００４０】
他の例として、ＲＬ部分の持続期間は、スーパーフレームプリアンブルの持続期間と同一にしても良い。すなわち、この持続期間は、図４に示すようにＲＬがスーパーフレームプリアンブルの持続期間よりも短い場合には８シンボルとするこどかでき、または、ＲＬ部分の持続期間は、スーパーフレームプリアンブルの持続期間に対応する１６シンボルとすることができる。実際に、ＲＬ部分の持続期間は８及び８の倍数となり得る（例えば、１６、２４等）。
【００４１】
沈黙瞬間／期間は、沈黙させられた（ｓｉｌｅｎｃｅｄ）資源と関連して全体または部分でありうる。全体沈黙期間（ｔｏｔａｌ  ｓｉｌｅｎｃｅ  ｐｅｒｉｏｄ）の場合、あらかじめ定義された持続期間（例えば、残りの持続期間）の間には全体バンド幅を通じて何も伝送されない。この沈黙瞬間／期間は、全てのＡＴｓからＡＮにナル信号が伝送される期間といえよう。ここで、ナル信号伝送とは、いかなる信号もＡＴｓからＡＮに伝送されないということを意味する。
【００４２】
また、あらかじめ定義された持続期間の間に一部沈黙瞬間／期間（ｐａｒｔｉａｌ  ｓｉｌｅｎｃｅ  ｍｏｍｅｎｔ／ｐｅｒｉｏｄ）が適用される場合、一部周波数バンド幅（サブバンドまたはサブバンド集合）が沈黙することができる。
【００４３】
例えば、図４を参照すると、物理フレーム（例、ＰＨＹ＃０）及びＲＬ部分は結合してプリアンブル持続期間に対応することができる。このＰＨＹ＃０が伝送された後に何も伝送されない（または、ナル信号が伝送される）沈黙期間が続く。また、何も伝送しない（または、ナル信号を伝送する）代わりに、要請及び／またはチャネル品質フィードバックが伝送されても良い。
【００４４】
ＡＴの観点では、ＡＮへの伝送が制御されることができる。すなわち、ＲＬ伝送は周期的に中断される。ＡＴは、チャネル条件などのファクター（ｆａｃｔｏｒ）に基づいて自身の伝送を周期的に中断するか否かを決定できる。また、ＡＴは、ＡＮからの命令（ｃｏｍｍｎａｄ）に基づいて自身の伝送を周期的に中断することができる。ＡＴは、システムパラメータによって周期的な中断に関する情報を得ることができる。
【００４５】
また、データ及び／または制御チャネル（または、セグメント）の一般的な伝送は、物理フレームで沈黙瞬間／期間が使用されていない持続期間に起きることができる。例えば、逆方向リンク応答チャネル（ｒｅｖｅｒｓｅ  ｌｉｎｋ  ａｃｋｎｏｗｌｅｄｇｅｍｅｎｔ  ｃｈａｎｎｅｌ；Ｒ−ＡＣＫＣＨ）及び／または逆方向リンクデータチャネル（ｒｅｖｅｒｓｅ  ｌｉｎｋ  ｄａｔａ  ｃｈａｎｎｅｌ；Ｒ−ＤＣＨ）及び／または逆方向リンクコード分割多重接続（ｃｏｄｅ  ｄｉｖｉｓｉｏｎ  ｍｕｌｔｉｐｌｅ  ａｃｃｅｓｓ；ＣＤＭＡ）制御セグメントが、沈黙させられない“長い（ｌｏｎｇ）”フレームの部分を通じて伝送されることができる。ここで、データチャネルは、ＯＦＤＭ、ＣＤＭＡなどを含むいかなる伝送フォーマットも含む。
【産業上の利用可能性】
【００４６】
本発明の技術的思想または範囲内で様々な変形または修正が可能であるということは、当該技術分野における通常の知識を持つ者にとっては自明である。したがって、添付した請求項及びその等価範囲内における変形または修正も本発明に含まれる。
【図１】
2009543428.tif 000003
【図２】
2009543428.tif 000004
【図３】
2009543428.tif 000005
【図４】
2009543428.tif 000006
【国際調査報告】
2009543428.tif 000007
2009543428.tif 000008
2009543428.tif 000009